(57)【要約】【課題】天板の上面をクッション材の上面より広くして、使用時に手狭になるようなことがないようにし、さらにクッション材がビーズクッション等の粒状物であっても、コンパクト化できて携帯し易くした膝載せ携帯デスクを提供する。【解決手段】膝に載置可能としたクッション材１の上面に、このクッション材１の上面より広くすると共に、曲げ可能とした天板２を取り付けたものとしている。【選択図】図１
2010167021.tif 000002
【特許請求の範囲】
【請求項１】
膝に載置可能としたクッション材（１）の上面に、このクッション材（１）の上面より広くすると共に、曲げ可能とした天板（２）を取り付けたことを特徴とする膝載せ携帯デスク。
【請求項２】
前記天板（２）に折り目（５）を形成し、この折り目（５）を山折り状態にしておけるようにしたことを特徴とする請求項１記載の膝載せ携帯デスク。
【請求項３】
前記天板（２）の広い部分を、前記クッション材（１）の側面および下面に接触または接近するように曲げ可能としたことを特徴とする請求項２記載の膝載せ携帯デスク。
【請求項４】
前記クッション材（１）を、前記天板（２）に適当な間隔（Ｓ）を空けて複数個取り付けたものとすると共に、前記複数個のクッション材（１）の間に位置するようにして前記天板（２）に折り目（５）を形成し、この折り目（５）により前記天板（２）を折り曲げたときに、前記複数個のクッション材（１）どうしが接触または接近するようしたことを特徴とする請求項２記載の膝載せ携帯デスク。
【発明の詳細な説明】
【技術分野】
【０００１】
この発明は、膝の上に載せて、各種用途に使用することができる膝載せ携帯デスクに関するものである。
【背景技術】
【０００２】
従来、この種の物品としては、例えば図１８、１９に示したように、車椅子に乗った使用者が膝上に載置し得る大きさで、表側が書き消し自在のマーカーで繰り返し書き消しできる硬質の滑面体を有するボード２１からなり、このボード２１の裏側全面に中にクッション材２２を有し、載置した膝形状に倣って形状変化する袋体２３を具備してなるラップトップ型の筆記用ボードが存在する。そして、前記ボード２１は、裏面側上端部に手で握る把手２４を有するものとし、前記クッション材２２は、発泡プラスチックビーズの粒状体からなるものとしている（特許文献１）。
【０００３】
前記従来の筆記用ボードは、高齢で難聴の車椅子使用者が車椅子に乗って日常生活をおくる場合に、膝上に載せて安定して使用でき、さらに把手２４を有することで持ち運びも容易であり、また袋体２３に入れた発泡プラスチックビーズの粒状体からなるクッション材２２は身体の形状になじみやすいので、より一層に安定して字を書くことができ、またテーブルとして使用できるなどの優れた効果を有するとしている。
【０００４】
さらに、この種の物品としては、例えば図２０、２１に示したように、折り畳み可能あるいは折り畳み不能なテーブル板３１と、このテーブル板３１の底面に固定あるいは着脱自在に装備されるクッション材３２とからなる携帯型テーブルが存在する。そして、前記クッション材３２は、空気、液体あるいはビーズクッション等の粒状物３３を充填した状態で任意の形状に変形可能な袋体３４であるとしている（特許文献２）。
【０００５】
前記従来の携帯型テーブルは、折り畳むことによってコンパクト化して携帯が可能であると共に、使用時には展開してどのような接地条件の悪い場所においても柔軟になじんで着座することにより、テーブル、机等して使用することができるとしている。
【先行技術文献】
【特許文献】
【０００６】
【特許文献１】特開２００４−１６７７５９号公報（図１、図３）
【特許文献２】特開２０００ー１０２４２０号公報（図１）
【発明の概要】
【発明が解決しようとする課題】
【０００７】
しかしながら、上記従来の筆記用ボードでは、ボード２１上面の広さと、このボード２１の裏側全面に具備する袋体２３上面の広さを略等しくしているために、ボード２１上面が広くとれず、使用時には手狭になることがあるという課題を有していた。
【０００８】
また、上記従来の筆記用ボードでは、ボード２１の裏面側上端部に手で握る把手２４を有しているので、持ち運びが容易であるとしているが、持ち運びするときも元の形状のままであり、コンパクトな形状にすることはできず、持ち運びに不便であるという課題を有していた。
【０００９】
さらに、上記従来の携帯型テーブルでも、テーブル板３１上面の広さと、このテーブル板３１の底面に装備されるクッション材３２上面の広さを略等しくしているために、テーブル板３１上面が広くとれず、使用時には手狭になることがあるという課題を有していた。
【００１０】
また、上記従来の携帯型テーブルでは、折り畳むことによってコンパクト化して携帯が可能であるとしている。これは、確かに図２０に示したように、折り畳むことによってコンパクト化することができるが、折り畳もうとする際、物理的に考えても、クッション材３２がテーブル板３１より不格好な状態ではみ出してしまい、意匠的にも優れた状態とは言いがたく、一般的に携帯する物としては、大変不格好な状態で携帯するしかなく、携帯目的としてのコンパクト性を考慮した携帯型テーブルとしては完成度が大変低い。よってこの携帯型テーブルの構造では、一般的な携帯性を目的としたコンパクト化にはならず、携帯に大変不便であるという課題を有していた。
【００１１】
そこで、この発明は、上記従来の課題を解決するものであり、ボードやテーブル板となる天板の上面をクッション材の上面より広くして、使用時に手狭になるようなことがないようにし、さらにクッション材がビーズクッション等の粒状物であっても、コンパクト化できて携帯し易くした膝載せ携帯デスクを提供することを目的としてなされたものである。
【課題を解決するための手段】
【００１２】
この発明の膝載せ携帯デスクは、膝に載置可能としたクッション材１の上面に、このクッション材１の上面より広くすると共に、曲げ可能とした天板２を取り付けたものとしている。
【００１３】
そして、この発明の膝載せ携帯デスクは、前記天板２に折り目５を形成し、この折り目５を山折り状態にしておけるようにしている。
【００１４】
さらに、この発明の膝載せ携帯デスクは、前記天板２の広い部分を、前記クッション材１の側面および下面に接触または接近するように曲げ可能としている。
【００１５】
また、この発明の膝載せ携帯デスクは、前記クッション材１を、前記天板２に適当な間隔Ｓを空けて複数個取り付けたものとすると共に、前記複数個のクッション材１の間に位置するようにして前記天板２に折り目５を形成し、この折り目５により前記天板２を折り曲げたときに、前記複数個のクッション材１どうしが接触または接近するようしている。
【発明の効果】
【００１６】
この発明の膝載せ携帯デスクは、以上に述べたように構成されており、ボードやテーブル板となる天板の上面をクッション材の上面より広くしたので、使用時に手狭になるようなことがないものとなった。
【００１７】
さらに、この発明の膝載せ携帯デスクは、クッション材がビーズクッション等の粒状物であっても、コンパクト化できるものとなり、携帯し易いものとなった。
【図面の簡単な説明】
【００１８】
【図１】この発明の膝載せ携帯デスクの第一実施形態を示しており、天板側から見た斜視図である。
【図２】図１に示すこの発明の膝載せ携帯デスクをクッション材側から見た斜視図である。
【図３】図１に示すこの発明の膝載せ携帯デスクをコンパクトな状態にしたときの斜視図である。
【図４】図３中のＡ−Ａ線によるこの発明の膝載せ携帯デスクの断面図である。
【図５】この発明の膝載せ携帯デスクのクリップの斜視図である。
【図６】この発明の膝載せ携帯デスクの第二実施形態を示しており、天板側から見た斜視図である。
【図７】図６に示すこの発明の膝載せ携帯デスクをクッション材側から見た斜視図である。
【図８】図６に示すこの発明の膝載せ携帯デスクをコンパクトな状態にしたときの斜視図である。
【図９】図８中のＢ−Ｂ線によるこの発明の膝載せ携帯デスクの断面図である。
【図１０】この発明の膝載せ携帯デスクの第三実施形態を示しており、天板側から見た斜視図である。
【図１１】図１０に示すこの発明の膝載せ携帯デスクをクッション材側から見た斜視図である。
【図１２】図１０に示すこの発明の膝載せ携帯デスクをコンパクトな状態にしたときの斜視図である。
【図１３】図１２中のＣ−Ｃ線によるこの発明の膝載せ携帯デスクの断面図である。
【図１４】この発明の膝載せ携帯デスクの第四実施形態を示しており、天板側から見た斜視図である。
【図１５】図１４に示すこの発明の膝載せ携帯デスクをクッション材側から見た斜視図である。
【図１６】図１４に示すこの発明の膝載せ携帯デスクをコンパクトな状態にしたときの斜視図である。
【図１７】図１６中のＤ−Ｄ線によるこの発明の膝載せ携帯デスクの断面図である。
【図１８】従来の筆記用ボードの斜視図である。
【図１９】図１８に示す従来の筆記用ボードの分解斜視図である。
【図２０】従来の携帯型テーブルの一部切欠き斜視図である。
【図２１】図２０に示す従来の携帯型テーブルの折り畳み状態を示す説明図である。
【発明を実施するための形態】
【００１９】
以下、この発明の膝載せ携帯デスクの実施の形態を、図面に基づいて詳細に説明する。
【００２０】
この発明の膝載せ携帯デスクは、図１〜１７に示したように、膝に載置可能としたクッション材１の上面に、このクッション材１の上面より広くすると共に、曲げ可能とした天板２を取り付けたものとしている。
【００２１】
クッション材１は、ビーズクッション等の粒状物３を袋体４に充填した状態で任意の形状に変形可能なものとしている。前記袋体４は、図示したものでは、天板２の裏側に当接する部分は開放されており、この開放部分は天板２を取り付けることにより閉じられるようにしているが、天板２の裏側に当接する部分は最初から閉じられていてもよく、この閉じられている面に天板２を取り付けることもできる。そして、このクッション材１は、前記天板２に一個取り付けたものとしたり、前記天板２に適当な間隔Ｓを空けて複数個取り付けたものとすることができる。なお、粒状物３としては、ビーズクッションに限定されることなく、ひのき等の木質材、おがくずなどを使用しても良い。
【００２２】
天板２は、デスク板やテーブル板として使用するのに充分な強度を有する厚紙や合成樹脂板等からなり、図１〜１３に示したものでは、二個のクッション材１の上面に亘るように、それらの上面より広くして、前記間隔Ｓを空けると共に周囲が食み出すようにして取り付けている。さらに、前記天板２の間隔Ｓを空けた部分や食み出した部分に折り目５を形成して、この折り目５より曲げ可能としている。
【００２３】
図１〜４に示した天板２は、二個のクッション材１の間に位置するようにして、二本の折り目５を形成している。そして、これらの折り目５を山折り状態にして、天板２の広い部分、すなわち前記間隔Ｓを空けた部分や食み出した部分を、クッション材１の側面に接触または接近するようにして折り曲げれば、図３、４に示したように、二個のクッション材１どうしが接触して重なり合った状態となり、コンパクトなものとなる。なお、前記間隔Ｓは、二個のクッション材１どうしが自然な状態で重なり合ったものとするには、二個のクッション材１を重ね合わせたときの厚みに等しい寸法とすればよい。また、前記間隔Ｓは、袋体３への粒状物４の充填具合によって、前記寸法より大きくしたり、小さくしたものとすることもできる。
【００２４】
さらに、前記天板２は、曲げ可能とした部分をクリップ６で挟み、天板２が曲がらないようにしている。すなわち、天板２の折り目５を形成した部分に交差するようにして、このクリップ６を挟み、天板２が折り目５から折れ曲がって、天板２が平坦な状態を保てなくなるのを防止している。
【００２５】
クリップ６は、図５に示したように、長尺の弾性合成樹脂板を長さ方向に二つ折りするなどして断面を略コ字状とし、この略コ字状した部分で、図１に示したように、天板２の上下（図では左右）の側端を挟み、天板２の折り目５を形成した部分に交差するようにしている。
【００２６】
さらに、クリップ６は、長さ方向の略中央部に突出体７を設け、この突出体７に係着部８ａを設けたものとしており、天板２の下面の略中央部の上下端に設けた係着部８ｂに着脱自在としたものとしている。このようにしたクリップ６は、図２に示したように、天板２を上下の側端から挟んだ状態で、その係着部８ａを天板２の係着部８ｂに着ければ、上下の側端から容易に抜け落ちることがないものとなる。また、このようにしたクリップ６は、前記天板２の上下の側端から外し、図３、４に示したように、二個のクッション材１どうしが接触して重なり合った状態では、前記天板２の左右の側端に挟み変え、係着部８ａどうしを着けておけば、前記クッション材１どうしが重なり合った状態が維持されるので、携帯時にばたつくようなことがなく、携帯し易いものとなる。
【００２７】
なお、前記クリップ６の係着部８ａおよび天板２の係着部８ｂは、面接着テープ、ホック、ボタンなどとすることができるが、着脱自在となるものであれば、特に限定されることはない。
【００２８】
図６〜９に示した天板２は、二個のクッション材１の間に位置するようにして、三本の折り目５を形成している。そして、これらの折り目５を山折り状態にして、天板２の広い部分、すなわち前記間隔Ｓを空けた部分や食み出した部分を、クッション材１の側面に接触または接近するようにして折り曲げれば、図８、９に示したように、二個のクッション材１どうしが接触して重なり合った状態となり、コンパクトなものとなる。なお、前記間隔Ｓは、二個のクッション材１どうしが自然な状態で重なり合ったものとするには、二個のクッション材１を重ね合わせたときの厚みに等しい寸法とすればよい。また、前記間隔Ｓは、袋体３への粒状物４の充填具合によって、前記寸法より大きくしたり、小さくしたものとすることもできる。
【００２９】
図１０〜１３に示した天板２は、二個のクッション材１のそれぞれの外側に位置するようにして、二本の折り目５を形成すると共に、前記二個のクッション材１の間に位置するようにして、二本の折り目５を形成している。そして、これらの折り目５を山折り状態にして、天板２の広い部分、すなわち前記間隔Ｓを空けた部分や食み出した部分を、クッション材１の側面および下面に接触または接近するようにして折り曲げれば、図１２、１３に示したように、二個のクッション材１の間に天板２が挟み込まれた状態で、二個のクッション材１が重なり合った状態となり、コンパクトなものとなる。なお、前記間隔Ｓは、図１〜４および図６〜９に示したものと同様にしている。
【００３０】
さらに、天板２は、図１４〜１７に示したように、三個のクッション材１の上面に亙るように、それらの上面より広くして、隣り合うクッション材１どうしの間にそれぞれ適当な間隔Ｓを空けるようにして取り付けている。前記クッション材１は、中央に位置するものの横幅を、左右（図では上下）に位置するものの横幅の約二倍にしたものとしている。さらに、前記天板２の間隔Ｓを空けた部分に折り目５を形成して、この折り目５より曲げ可能としている。そして、これらの折り目５を山折り状態にして、前記間隔Ｓを空けた部分を、クッション材１の側面に接触または接近するようにして折り曲げれば、図１６、１７に示したように、一個のクッション材１に、二個のクッション材１が並んで重なり合った状態となり、コンパクトなものとなる。なお、前記間隔Ｓは、図１〜４、図６〜９および図１０〜１３に示したものと同様にしている。
【００３１】
この発明の膝載せ携帯デスクは、以上に述べたように構成されているので、その使用状態においては、次のような効果を有する。
【００３２】
先ず、忙しいビジネスマンがこの膝載せ携帯デスクを持っていれば、電車、飛行機、車の中など色々な場所で平面を作ることができ、書類の作成や飲食をすることができ時間を有効に使うことができる。パソコンを使用するときも、パソコンの下に敷けば粒状物３を充填した袋体４が膝全体にあたるので膝への負担を軽減できる。
【００３３】
車で営業をしているビジネスマンにも便利である。日常、車での移動時間が長く昼食、夕食を車内でとることが多い。車内は移動できる仕組みを主に設計されているため凹凸が多く、食事がとりにくい。この膝載せ携帯デスクは少ないスペースでも使用することができるので、車内での食事などには平面を作ることができ快適に過ごせる。さらに、車内でのパソコンの使用、書類作成等にも非常に役立つ。
【００３４】
スタジアムでの観戦の時、平らな場所が少なく飲食がしにくいが、この膝載せ携帯デスクがあれば狭いスペースでも使用することができ便利である。天板２にお気に入りのチームの印刷等を施せば、チームの応援グッズとしても使うことができる。必要のない時は折畳み収納でき邪魔にならない。
【００３５】
例えば山登りやハイキングといった時に一緒に持っていけば、途中、山の中腹等平坦な場所がない場合に休憩する際も、この膝載せ携帯デスクを使用すれば、飲食がスムーズに快適にできる。さらに、オリエンテーリング等文字を書く必要がある時にも便利である。折畳みリュックや鞄に収納すれば、歩く際に邪魔にならない。
【００３６】
公園に行く時もベンチはあるがテーブルを設置している場所は少ないため、この膝載せ携帯デスクを持っていけば、読書や飲食に使用することができるので、自分の気に入った場所で使用可能である。
【００３７】
車椅子を使用している人にも非常に役に立つ。クッション材１、天板２が共に軽く車椅子使用者への負担が少ない。携帯性に優れた仕組みなので屋外での使用にも適している。読書やゲームをしたり、食事をするときにも使用でき、必要のないときは折畳みコンパクトにして車椅子の収納ポケット等に収納できるため、一人で作業を行うことが可能になった。
【００３８】
入院時ベッドで過ごすことが多く、読書、食事等で備え付けのテーブルを使用することがあるが、この膝載せ携帯デスクを使用すれば、天板２の角度を自分好みに合わせられるので便利である。例えば読書をするとき、蛍光灯の反射などがあっても角度を変えれば見易い状態にすることができる。使用しないときはコンパクトに折畳み、棚などに収納すれば邪魔にならない。
【００３９】
ホテルの部屋で使用するときも便利である。各部屋にはテーブルが設置されていることも多いが、ベッドで使用することはできない。例えば出張中のビジネスマンが、書類や報告書などの作成、パソコンの使用をベッドの上でもできる。出張中の移動のときは、折畳みコンパクトにし鞄等に収納しやすい大きさや仕組みなので邪魔にならない。
【符号の説明】
【００４０】
１  クッション材
２  天板
５  折り目
Ｓ  間隔
【図１】
2010167021.tif 000003
【図２】
2010167021.tif 000004
【図３】
2010167021.tif 000005
【図４】
2010167021.tif 000006
【図５】
2010167021.tif 000007
【図６】
2010167021.tif 000008
【図７】
2010167021.tif 000009
【図８】
2010167021.tif 000010
【図９】
2010167021.tif 000011
【図１０】
2010167021.tif 000012
【図１１】
2010167021.tif 000013
【図１２】
2010167021.tif 000014
【図１３】
2010167021.tif 000015
【図１４】
2010167021.tif 000016
【図１５】
2010167021.tif 000017
【図１６】
2010167021.tif 000018
【図１７】
2010167021.tif 000019
【図１８】
2010167021.tif 000020
【図１９】
2010167021.tif 000021
【図２０】
2010167021.tif 000022
【図２１】
2010167021.tif 000023